(57)【特許請求の範囲】
【請求項１】
歯形模型(4)が固定される固定プレート(2)と、この固定プレート(2)に一端を連結している複数本のダウエルピン(3)と、このダウエルピン(3)を介して脱着自在に連結されるプラスチック製の土台(1)とを備える歯科技工用作業模型であって、
土台(1)が、固定プレート(2)を定位置に固定する複数の柱状凸部(6)を固定プレート(2)との対向面の側部に突出して、かつ、側縁から内側に離れて設けており、
さらに、この土台(1)は、長手方向に沿って中央部に所定の間隔離してダウエルピン(3)を抜き差しできる連結穴(5)を設けており、
前記固定プレート(2)は、土台(1)の柱状凸部(6)を嵌着する柱状凹部(7)を土台(1)との対向面の側部に、側縁から内側に離れて設けており、
さらに、この固定プレート(2)は、長手方向に沿って中央部に所定の間隔離してダウエルピン(3)を固定しており、
前記土台(1)は、全体をプラスチックで成形して、前記固定プレート(2)を連結する平面プレート(10)の周囲に周壁(11)を連結する形状に成形されて、平面プレート(10)の表面である固定プレート(2)との対向面の側部に、固定プレート(2)を定位置に固定する複数の柱状凸部(6)を、対向面から突出して、かつ、側縁から内側に離して設けており、
さらに、前記土台(1)は、前記平面プレート(10)の内面に突出するように筒体(12)を一体的に成形して設けて、この筒体(12)の内側に前記連結穴(5)を設けて、前記連結穴(5)を設ける部分に筒体(12)を突出して設けており、
ダウエルピン(3)が連結穴(5)に挿入されると共に、柱状凸部(6)が柱状凹部(7)に挿入されて、中央部のダウエルピン(3)と側部の柱状凸部(6)の両方で固定プレート(2)が土台(1)の定位置に連結されるようにしてなる歯科技工用作業模型。
【請求項２】
前記土台(1)が、固定プレート(2)との対向面の両側部に複数の柱状凸部(6)を設けると共に、両側部の柱状凸部(6)の中間に連結穴(5)を設けており、
さらに、前記固定プレート(2)が、土台(1)との対向面の両側部に柱状凹部(7)を設けると共に、両側部の柱状凹部(7)の中間にダウエルピン(3)を設けている請求項１に記載される歯科技工用作業模型。
【請求項３】
前記土台(1)が、固定プレート(2)との対向面に、柱状凸部(6)に加えて、先端に向かって窄み形状の先窄み凸部(8)を設けている請求項１に記載される歯科技工用作業模型。
【請求項４】
前記土台(1)が、柱状凸部(6)の外側に先窄み凸部(8)を設けている請求項３に記載される歯科技工用作業模型。
【請求項５】
前記先窄み凸部(8)の上面が中央凸の湾曲面である請求項３に記載される歯科技工用作業模型。
【請求項６】
前記柱状凸部(6)と前記柱状凹部(7)が円柱状である請求項１に記載される歯科技工用作業模型。
【請求項７】
前記柱状凸部(6)がダウエルピン(3)の横断面積に対して５０％〜２００％の柱状としている請求項１に記載される歯科技工用作業模型。
【請求項８】
前記ダウエルピン(3)が横断面形状を非円形とする先細りテーパー状のプラスチックピンである請求項１に記載される歯科技工用作業模型。
【請求項９】
前記柱状凸部(6)が、各々のダウエルピン(3)の側部に配設されて、柱状凸部(6)の数が、ダウエルピン(3)の数の１〜４倍である請求項１に記載される歯科技工用作業模型。
【請求項１０】
前記歯科技工用作業模型が部分の歯科技工用作業模型で、両側部に柱状凸部(6)があって、両側部の柱状凸部(6)の中間にダウエルピン(3)を配置している請求項１に記載される歯科技工用作業模型。
【請求項１１】
前記歯科技工用作業模型が全顎の歯科技工用作業模型で、片側部に沿って柱状凸部(6)を設けている請求項１に記載される歯科技工用作業模型。
【発明の詳細な説明】
【技術分野】
【０００１】
この発明は、歯科補綴物等を製作する場合に用いる歯科技工用作業模型に関する。 
【背景技術】
【０００２】
歯科技工用作業模型は以下の行程で製作される。 
（１）患者の口腔からとった印象に基づいて石膏で歯形模型を成形する。 
（２）この歯形模型の下面を平坦に削って孔をあけ、孔に空気を噴射し、さらに加圧された水を噴射して清掃する。 
（３）瞬間接着剤、速重レジンを使用して、ダウエルピンを孔に固着する。 
（４）余分な石膏、接着剤、レジンを除去して成形する。 
（５）歯形模型に回転防止溝を設ける。 
（６）歯形模型の下面とダウエルピンの表面に離型剤を塗布し、予め石膏泥を充填した土台用シリコーンゴム型に押し込み、石膏ペーストが硬化した後、脱型して歯科技工用歯科技工用作業模型とする。 
【０００３】
以上の方法で作業模型を製造するには、熟練と時間を要する手作業が多く、作業性が悪い欠点がある。この欠点を解消することを目的として、本発明者は、図１に示す歯科技工用作業模型を開発した。（特許文献１参照） 
【特許文献１】特開２０００−２４５７４９号公報
【０００４】
この歯科技工用作業模型は、土台９１の定位置に固定プレート９２を連結している。固定プレート９２の上には歯形模型９４が固定される。固定プレート９２を土台９１の定位置に固定するために、固定プレート９２の下面にダウエルピン９３を固定している。土台９１は、ダウエルピン９３を脱着できるように挿入する連結穴９５を設けている。 
【０００５】
図１に示す歯科技工用作業模型は、石膏で制作される土台の製造に手間がかかってコストが高くなる欠点がある。それは、土台がシリコンゴムの成形型に石膏泥を充填して製作されるからである。また、石膏で全体を成形している土台は、全体の強度も充分でなく衝撃で割れたり破損しやすい欠点がある。本発明者は、このような欠点を解決することを目的に図２の歯科技工用作業模型を開発した。
【０００６】
図２の歯科技工用作業模型は、土台８１をプラスチックで成形している。プラスチック製の土台８１は均一に多量生産できる。この土台８１は、図において上面である固定プレート８２との対向面に連結凸部８８を設けると共に、ダウエルピン８３を抜き差しできる連結孔８５を設けている。固定プレート８２は、ダウエルピン８３を土台８１の連結穴８５に挿入し、下面に設けている連結凹部８９に連結凸部８８を案内して、土台の定位置に連結される。
【発明の開示】
【発明が解決しようとする課題】
【０００７】
図２の歯科技工用作業模型は、土台を均一に多量生産できるが、固定プレートをスムーズに脱着しながら、高い精度で土台の定位置にしっかりと連結するのが難しい欠点がある。とくに、ダウエルピンをプラスチックピンとして、固定プレートをしっかりと土台の定位置に正確に連結するのが難しい。それは、石膏で成型される従来の土台のように、ダウエルピンを石膏泥に埋設して連結穴を成形できないからである。石膏の土台は、固定プレートをシリコンゴムの成形型の定位置に固定して、成形型に石膏泥を充填し、石膏を硬化させて製作されるので、連結穴はこれを挿入するダウエルピンで成形される。挿入するダウエルピンで成形された土台は、これを成形するのに使用されたダウエルピンと一対に使用される。
【０００８】
これに対して、プラスチック製の土台は、連結穴を、直接に挿入するダウエルピンではなく、金型に設けている成形ピンで成形されるので、挿入するダウエルピンに対して形状や位置に誤差ができる。このため、ダウエルピンを連結穴に挿入して固定プレートを土台に連結する状態で、固定プレートを土台の定位置にしっかりと連結するのが難しい。固定プレートの土台に対する位置ずれは、義歯の加工に著しく悪影響を与える。それは、固定プレートの位置がずれると、これに固定している歯形模型が位置ずれして、高い精度で歯形模型を加工できなくなるからである。
【０００９】
本発明は、さらにこの欠点を解決することを目的に開発されたものである。本発明の重要な目的は、土台をプラスチックで均一に多量生産しながら、固定プレートを土台の定位置にしっかりと連結できる歯科技工用作業模型を提供することにある。
【課題を解決するための手段】
【００１０】
本発明の請求項１の歯科技工用作業模型は、歯形模型４が固定される固定プレート２と、この固定プレート２に一端を連結している複数本のダウエルピン３と、このダウエルピン３を介して脱着自在に連結されるプラスチック製の土台１とを備える。土台１は、固定プレート２を定位置に固定する複数の柱状凸部６を固定プレート２との対向面の側部に突出して、かつ、側縁から内側に離れて設けている。さらに、この土台１は、長手方向に沿って中央部に所定の間隔離してダウエルピン３を抜き差しできる連結穴５を設けている。固定プレート２は、土台１の柱状凸部６を嵌着する柱状凹部７を土台１との対向面の側部に、側縁から内側に離れて設けている。さらに、この固定プレート２は、長手方向に沿って中央部に所定の間隔離してダウエルピン３を固定している。土台１は、全体をプラスチックで成形して、固定プレート２を連結する平面プレート１０の周囲に周壁１１を連結する形状に成形されて、平面プレート１０の表面である固定プレート２との対向面の側部に、固定プレート２を定位置に固定する複数の柱状凸部６を、対向面から突出して、かつ、側縁から内側に離して設けている。さらに、土台１は、平面プレート１０の内面に突出するように筒体１２を一体的に成形して設けて、この筒体１２の内側に連結穴５を設け、連結穴５を設ける部分に筒体１２を突出して設けている。歯科技工用作業模型は、ダウエルピン３を連結穴５に挿入すると共に、柱状凸部６を柱状凹部７に挿入して、中央部のダウエルピン３と側部の柱状凸部６の両方で固定プレート２を土台１の定位置に連結している。
【００１１】
【００１２】
本発明の請求項２の歯科技工用作業模型は、請求項１に記載される歯科技工用作業模型であって、土台１が、固定プレート２との対向面の両側部に複数の柱状凸部６を設けると共に、両側部の柱状凸部６の中間に連結穴５を設けており、さらに、固定プレート２が、土台１との対向面の両側部に柱状凹部７を設けると共に、両側部の柱状凹部７の中間にダウエルピン３を設けている。
【００１３】
本発明の請求項３の歯科技工用作業模型は、請求項１に記載される歯科技工用作業模型であって、土台１が、固定プレート２との対向面に、柱状凸部６に加えて、先端に向かって窄み形状の先窄み凸部８を設けている。さらに、本発明の請求項４の歯科技工用作業模型は、土台１が、柱状凸部６の外側に先窄み凸部８を設けている。
【００１４】
【００１５】
【００１６】
さらに、本発明の請求項５の歯科技工用作業模型は、請求項３に記載される歯科技工用作業模型であって、先窄み凸部８の上面を中央凸の湾曲面としている。
【００１７】
本発明の請求項６の歯科技工用作業模型は、請求項１に記載される歯科技工用作業模型であって、柱状凸部６と柱状凹部７を円柱状としている。
【００１８】
本発明の請求項７の歯科技工用作業模型は、請求項１に記載される歯科技工用作業模型であって、柱状凸部６を、ダウエルピン３の横断面積に対して５０％〜２００％の柱状としている。
【００１９】
本発明の請求項８の歯科技工用作業模型は、請求項１に記載される歯科技工用作業模型であって、ダウエルピン３を、横断面形状を非円形とする先細りテーパー状のプラスチックピンとしている。
【００２０】
本発明の請求項９の歯科技工用作業模型は、請求項１に記載される歯科技工用作業模型であって、柱状凸部６を各々のダウエルピン３の両側に配設して、柱状凸部６の数をダウエルピン３の数の１〜４倍としている。
【００２１】
さらに、本発明の請求項１０の歯科技工用作業模型は、請求項１に記載される歯科技工用作業模型であって、歯科技工用作業模型を、部分の歯科技工用作業模型としている。この歯科技工用作業模型は、両側部に柱状凸部６を設けて、両側部の柱状凸部６の中間にダウエルピン３を配置している。
【００２２】
さらに、本発明の請求項１１の歯科技工用作業模型は、請求項１に記載される歯科技工用作業模型であって、歯科技工用作業模型を全顎の歯科技工用作業模型としている。この歯科技工用作業模型は、片側部に沿って柱状凸部６を設けている。
【発明の効果】
【００２３】
本発明の請求項１の歯科技工用作業模型は、土台をプラスチックで均一に多量生産しながら、固定プレートを土台の定位置にしっかりと連結できる特徴がある。それは、本発明の歯科技工用作業模型が、土台と固定プレートとの対向面の側部に、互いに嵌着できる複数の柱状凸部と柱状凹部を側縁から離れて設けると共に、土台と固定プレートの長手方向に沿って中央部に所定の間隔離して、ダウエルピンと、このダウエルピンを挿入する連結穴を配設しており、ダウエルピンを連結穴に、柱状凸部を柱状凹部に挿入して、固定プレートをプラスチック製の土台の定位置に連結するからである。すなわち、本発明の歯科技工用作業模型は、複数のダウエルピンを連結穴に挿入することに加えて、対向面の側部に設けている複数の柱状凸部を柱状凹部に嵌着して固定プレートを土台の定位置に連結する。とくに、柱状凸部と柱状凹部を対向面の側縁から離して設ける構造は、柱状凸部の外周面を柱状凹部の内周面に密着させて、固定プレートと土台との位置ずれを防止して正確な位置に連結する。
【００２４】
とくに、図７と図８に示すように、ダウエルピン３の左右の両側で切断された分割模型２０は、中央部のダウエルピン３と側部の柱状凸部６の両方で土台１に連結されることから、義歯を加工する切り離し状態において、定位置に正確に確実に土台１に連結される。歯科技工用作業模型は、支台歯模型２２に装着される歯冠補綴物２１をレジンや金属で作成するが、このときに支台歯模型２２の左右にある歯牙模型４Ａが邪魔になるので、左右の歯牙模型４Ａが邪魔にならないようにするために左右の歯牙模型４Ａとの境界部分である両側を切断して分割模型２０を作る。分割模型２０は、歯冠補綴物２１を製作する部分を隣接部分から分離できるようにしたものである。分割模型２０は、図３と図７に示すように、歯科技工用作業模型の歯形模型４と固定プレート２とを所定の位置で切断して製作される。歯形模型４と固定プレート２は、歯冠補綴物２１を製作する部分の左右両側であって、互いに隣接するダウエルピン３の間で切断される。この分割模型２０は、図８に示すように、中央部のダウエルピン３と側部の柱状凸部６を介して、土台１の定位置に脱着自在に装着される。ダウエルピン３とその側部の柱状凸部６の両方で土台１に連結される分割模型２０は、位置ずれしないようにしっかりと定位置に土台１に連結される。
【００２５】
また、土台の側部に設けている複数の柱状凸部や柱状凹部は、土台を成形する金型で簡単かつ容易に設けることができる。このため、固定プレートを正確に土台の定位置にしっかりと連結しながら、製造コストが高くなることはない。
【００２６】
さらに、本発明の請求項２の歯科技工用作業模型は、土台と固定プレートの対向面の両側部に、互いに嵌着できる複数の柱状凸部と柱状凹部を設けると共に、柱状凸部と柱状凹部の中間部にダウエルピンを配設して、ダウエルピンを連結穴に、柱状凸部を柱状凹部に挿入して、固定プレートをプラスチック製の土台の定位置に連結する。このように、ダウエルピンの両側部において、複数の柱状凸部を柱状凹部に嵌着する連結構造は、固定プレートと土台との位置ずれを防止して正確な位置にしっかりと連結する。
【００２７】
さらに、本発明の請求項３の歯科技工用作業模型は、請求項１の構成に加えて、土台が、固定プレートとの対向面に、柱状凸部に加えて、先端に向かって窄み形状の先窄み凸部を設けており、請求項４の歯科技工用作業模型は、柱状凸部の外側に先窄み凸部を設けている。これらの歯科技工用作業模型は、柱状凸部と先窄み凸部の両方で固定プレートを土台の正確な位置に連結できる。とくに、柱状凸部を柱状凹部に挿入して固定プレートを土台にしっかりと連結でき、先窄み凸部を先窄み凹部に案内して固定プレートを土台の定位置に案内しながらスムーズに連結できる。
【００２８】
さらに、本発明の請求項６の歯科技工用作業模型は、柱状凸部と柱状凹部を円柱状としている。この歯科技工用作業模型は、円柱状の柱状凸部を円柱状の柱状凹部にスムーズに挿入しながら、両側部の柱状凸部と柱状凹部でもって、固定プレートをしっかりと土台に連結できる。
【００２９】
さらに、本発明の請求項７の歯科技工用作業模型は、柱状凸部をダウエルピンの横断面積に対して５０％〜２００％の柱状としているので、ダウエルピンの側部に設けている柱状凸部でもって固定プレートをしっかりと土台に連結できる。とくに、ダウエルピンよりも太い柱状凸部は、固定プレートを土台の定位置に確実に位置ずれしないように連結できる。
【００３０】
さらに、本発明の請求項８の歯科技工用作業模型は、ダウエルピンの横断面形状を非円形として、先細りテーパー状のプラスチックピンとする。この歯科技工用作業模型は、ダウエルピンをプラスチックで多量生産しながら、ダウエルピンでもって固定プレートをしっかりと土台に連結できる。
【００３１】
さらにまた、本発明の請求項９の歯科技工用作業模型は、各々のダウエルピンの側部に柱状凸部を配設して、柱状凸部の数をダウエルピンの数の１〜４倍としている。とくに、柱状凸部をダウエルピンの両側に設けている歯科技工用作業模型は、図８に示すように、分割模型２０をしっかりと土台１の定位置に連結できる。それは、隣接するダウエルピンの間で切断して分割模型とすることから、各々のダウエルピンの両側に柱状凸部を設けている歯科技工用作業模型は、分割模型２０がダウエルピン３とその両側の柱状凸部６で土台１に連結されるからである。すなわち、分割模型２０は、ダウエルピン３とその両側にある２個の柱状凸部６で土台１にしっかりと連結される。
【００３２】
さらに、本発明の請求項１０の歯科技工用作業模型は、部分の歯科技工用作業模型として、両側部に柱状凸部を設けて、両側部の柱状凸部の中間にダウエルピンを配置している。この歯科技工用作業模型は、部分の歯形模型が固定される固定プレートを、両側部にある柱状凸部と中間部にあるダウエルピンとで、土台の定位置にしっかりと連結できる。
【００３３】
さらにまた、本発明の請求項１１の歯科技工用作業模型は、全顎の歯科技工用作業模型として、片側部に沿って柱状凸部を設けている。この歯科技工用作業模型は、全顎の歯形模型が固定される固定プレートを、片側部に沿って設けた柱状凸部と、中央部にあるダウエルピンとで、土台の定位置にしっかりと連結できる。
【発明を実施するための最良の形態】
【００３４】
以下、本発明の実施例を図面に基づいて説明する。ただし、以下に示す実施例は、本発明の技術思想を具体化するための歯科技工用作業模型を例示するものであって、本発明は歯科技工用作業模型を以下のものに特定しない。
【００３５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００３６】
図３ないし図８に示す歯科技工用作業模型は、歯形模型４が固定される固定プレート２と、この固定プレート２に一端を連結している複数本のダウエルピン３と、このダウエルピン３を介して脱着自在に連結されるプラスチック製の土台１とを備える。
【００３７】
歯形模型４は、固定プレート２の表面に接着して固定される。図の歯科技工用作業模型は、細長い歯形模型４を固定できるように、固定プレート２と土台１の平面形状を細長い形状としている。複数の歯牙模型４Ａを備える歯形模型４は、図３の鎖線で示すように、歯牙模型４Ａの境界で切断されて分割模型２０となる。切断された分割模型２０を独立して土台１に連結できるように、歯形模型４を固定する固定プレート２は、複数のダウエルピン３を介して土台１に連結される。したがって、好ましくは、ダウエルピン３が各々の歯牙模型４Ａの下方に配置されるように、歯形模型４を固定プレート２に接着して固定する。歯形模型４を固定する状態で、固定プレート２と歯形模型４とを切断して分割模型２０とする。
【００３８】
土台１は、全体をプラスチックで成形している。プラスチック製の土台１は、図３と図４の断面図に示すように、固定プレート２を連結する平面プレート１０の周囲に周壁１１を連結する形状に成形される。この土台１は、図５に示すように、平面プレート１０の表面、すなわち固定プレート２との対向面の側部に、固定プレート２を定位置に固定する複数の柱状凸部６を、対向面から突出して、かつ、側縁から内側に離して設けている。さらに、土台１は、長手方向に沿って中央部に所定の間隔離してダウエルピン３を抜き差しできる連結穴５を設けている。図の土台１は、細長い平面プレート１０の両側部に一定の間隔で柱状凸部６を設けて、両側部の柱状凸部６の中間に、長手方向に沿ってダウエルピン３の連結穴５を設けている。ただ、土台は、対向面の片側部に沿って柱状凸部を設けることもできる。土台１は、所定の間隔で複数の柱状凸部６と連結穴５を設けている。この土台１は、ダウエルピン３が連結穴５に挿入され、また、各々の柱状凸部６を固定プレート２の柱状凹部７に挿入して、固定プレート２が脱着できるように連結される。したがって、柱状凸部６と連結穴５は、各々の歯牙模型４Ａの下方に位置するように、土台１の対向面に設けられる。
【００３９】
図の土台１は、平面プレート１０の表面である対向面の両側に各々５個の柱状凸部６を設けると共に、各々の柱状凸部６の間に５個の連結穴５を設けている。すなわち、各々の連結穴５の両側に一対の柱状凸部６を設けて、柱状凸部６の数を、ダウエルピン３の数の２倍としている。この構造は、固定プレート２と歯形模型４とを切断してなる分割模型２０を、図８に示すように、ダウエルピン３とその両側の柱状凸部６で、土台１の定位置に確実に連結できる。ただ、本発明の歯科技工用作業模型は、ダウエルピンの側部に配設する柱状凸部の数を、ダウエルピンの数の１〜４倍とすることもできる。たとえば、歯科技工用作業模型は、土台と固定プレートの対向面の両側に各々ダウエルピンの数の２倍の柱状凸部を設けて、柱状凸部全体の数を、ダウエルピンの数の４倍とすることもできる。さらに、本発明の歯科技工用作業模型は、必ずしも対向面の両側部にのみ柱状凸部を設ける必要はなく、互いに隣接するダウエルピンの間に位置して柱状凸部を設けることもできる。図９に示す土台１は、対向面の両側部に加えて、長手方向の中央部に沿って、ダウエルピンを挿入する連結穴５の左右にも柱状凸部６を設けている。すなわち、この図の土台１は、ダウエルピン３を挿入する連結穴５の四方に柱状凸部６を設けている。この構造は、固定プレート２をよりしっかりと土台１の定位置に連結できる。とくに、分割模型をダウエルピン３とその四方の柱状凸部６で土台１にしっかりと連結できる。
【００４０】
柱状凸部６は、固定プレート２に設けた柱状凹部７にスムーズに挿入できる円柱状としている。さらに、柱状凸部６は、固定プレート２をしっかりと定位置に連結できるように、ダウエルピン３の横断面積に対して５０％〜２００％の柱状としている。柱状凸部６は、好ましくは外径を４ｍｍφ、対向面から突出する高さ２ｍｍとする円柱状とする。ただし、本発明の歯科技工用作業模型は、柱状凸部を円柱状に特定せず、たとえば多角柱状、楕円柱状などとすることもできる。また、柱状凸部の外径は、ダウエルピンの横断面積に対して５０％〜２００％とすることができ、また、高さも１ｍｍ〜５ｍｍとすることができる。
【００４１】
さらに、図５の土台１は、連結穴５の両側に柱状凸部６を設けて、この柱状凸部６のさらに外側に、先端に向かって窄み形状の先窄み凸部８を設けている。先窄み凸部８は、上面を中央凸の湾曲面としている。とくに、図の先窄み凸部８は、柱状凸部６から外側に伸びる凸条としている。柱状凸部６に加えて先窄み凸部８を設ける土台１は、先窄み凸部８を柱状凸部６よりも低くして、柱状凸部６で固定プレート２を確実に連結できる構造とする。さらに、先窄み凸部８は、その幅を柱状凸部６の外径にほぼ等しくして、固定プレート２を確実に定位置に案内する。
【００４２】
連結穴５は、ダウエルピン３を隙間なく挿入できる形状であって、各々のダウエルピン３を挿入できる位置に設けている。ダウエルピン３は、固定プレート２に直交する姿勢で固定しているので、連結穴５は、平面プレート１０に直交して土台１に設けている。土台１は、図６の底面からみた分解斜視図に示すように、平面プレート１０の内面に突出するように筒体１２を一体的に成形して設けて、この筒体１２の内側に連結穴５を設けている。したがって、土台１は、連結穴５を設ける部分に筒体１２を突出して設けている。筒体１２は、土台１に一体的に成形される補強リブ１３に連結されて、補強リブ１３で補強される。図の土台１は、横補強リブ１３Ａで筒体１２を周壁１１の内面に連結して、縦補強リブ１３Ｂで隣接する筒体１２を連結している。この土台１は、筒体１２を変形しないように平面プレート１０に連結する。したがって、筒体１２の連結穴５に挿入されるダウエルピン３をしっかりと定位置に連結する。
【００４３】
さらに、連結穴５は、図３と図４に示すように、筒体１２を上下に貫通して両端を開口している。この連結穴５は、内部にゴミ等が侵入しても通過させて排出できるので、内部に侵入したゴミ等が除去できなくなるのを確実に防止できる。さらに、図の土台１は、ダウエルピン３の全長を連結穴５の全長よりも長くして、挿入されるダウエルピン３の先端を、下端の開口部から突出させる状態で連結している。連結穴５の下端から先端が突出するダウエルピン３は、突出部を下側から押し上げて、連結穴５から楽に取り外しできる特徴もある。
【００４４】
連結穴５は、横断面形状を非円形としている。図に示す連結穴５は、その内形をダウエルピンの外形に沿う形状としている。図のダウエルピン３は、先端に向かって次第に細くなる先細りテーパー状としているので、図の連結穴５は、先細りテーパー状に成形している。この形状の連結穴５は、ダウエルピン３を連結穴５の内面に密着する状態で、スムーズに抜き差しできる。
【００４５】
さらに、図の土台１は、上面の中央部に、固定プレート２と同じ外形の段差凸部１４を設けて、この段差凸部１４に柱状凸部６と先窄み凸部８を設けている。この構造の土台１は、固定プレート２を歯牙模型４Ａの間でさらに簡単に切断できる。それは、土台１の上面から突出する段差凸部１４を、固定プレート２の下部の一部と同じようにして切断できるからである。したがって、段差凸部１４は、好ましくは固定プレート２の外形に等しい外形に成形される。ただ、段差凸部の外形は、固定プレートの外形よりも大きく、あるいは小さく、あるいはまた異なる形状とすることもできる。
【００４６】
さらに、図の土台１は、上面の外周縁部であって、段差凸部１４の外側に、ダウエルピン３と柱状凸部６の位置を示すマーク１５を設けている。図に示すマーク１５は、上面の外周縁を切り欠いた凹部である。ただ、マークは、凸部や凸条、あるいは溝とすることもできる。このように、マーク１５を設けた土台１は、分割模型２０を作るときに、ダウエルピン３や柱状凸部６の位置を参考にしながら、最適な位置で歯形模型４と固定プレート２を切断できる。
【００４７】
固定プレート２は、全体を石膏で製作して、特定の決められた位置にダウエルピン３を固定している。ただ、固定プレートは、全体をプラスチックで製作することもできる。プラスチック製の固定プレートは、石膏粉などの無機粉末を充填することができる。無機粉末を充填してなるプラスチックで製作される固定プレートは、寸法精度と強度を高めながら、分割模型を製作するときに、切断を容易にできる。図の固定プレート２は、上面を平面状として、この面に歯形模型４を固定している。図の固定プレート２は、所定の厚さを有する板状で、土台１の段差凸部１４とほぼ等しい外形としている。
【００４８】
さらに、固定プレート２は、図６に示すように、その下面であって、土台１との対向面の側部に、土台１の柱状凸部６を嵌着する柱状凹部７を、側縁から内側に離して設けている。さらに、固定プレート２は、長手方向に沿って中央部に所定の間隔離してダウエルピン３を固定している。図の固定プレート２は、土台１との対向面の両側部に一定の間隔で柱状凹部７を設けて、両側部の柱状凹部７の中間に、長手方向に沿ってダウエルピン３を固定している。ただ、対向面の片側部に沿って柱状凸部を設けた土台に連結される固定プレートは、土台の柱状凸部と対向する片側部に沿って柱状凹部を設けることもできる。
【００４９】
固定プレート２は、所定の間隔で複数の柱状凹部７を設けると共に、所定の間隔で複数のダウエルピン３を固定している。固定プレート２の柱状凹部７は、土台１に設けた柱状凸部６を挿入できるように、柱状凸部６と対向する位置に設けている。この固定プレート２は、各々のダウエルピン３を連結穴５に挿入する状態で、各々の柱状凹部７に土台１の柱状凸部６が嵌入されて、土台１に脱着できるように連結される。とくに、柱状凸部６と柱状凹部７を対向面の側縁から離して設ける構造は、柱状凸部６の外周面を柱状凹部７の内周面に密着させてしっかりと連結できる。図の土台１は、固定プレート２との対向面の両側に各々５個の柱状凸部６を設けて、各々の柱状凸部６の間に５個の連結穴５を設けている。したがって、固定プレート２は、土台１との対向面の両側に各々５個の柱状凹部７を設けて、各々の柱状凹部７の間に５本のダウエルピン３を固定している。すなわち、固定プレート２は、各々のダウエルピン３の両側に一対の柱状凹部７を設けている。ただ、固定プレートに設ける柱状凹部の位置及び個数は、これを連結する土台の対向面に設けた柱状凸部に対向する位置及び個数とすることができる。したがって、固定プレートに設ける柱状凹部の位置と個数は、土台に設ける柱状凸部に応じて種々に変更できる。
【００５０】
柱状凹部７は、柱状凸部６をスムーズに挿入できるように、柱状凸部６の外形に沿う柱状としている。図の土台１は、柱状凸部６を円柱状としているので、固定プレート２に設ける柱状凹部７も円柱状としている。この形状の柱状凹部７は、柱状凸部６を挿入する状態で、固定プレート２をしっかりと定位置に連結できる。ただし、本発明の歯科技工用作業模型は、柱状凸部を円柱状に特定しないので、柱状凹部の形状も円柱状に特定しない。柱状凹部の形状は、柱状凸部の形状に応じて種々に変更することができる。
【００５１】
さらに、固定プレート２は、柱状凹部７の外側に先窄み凹部９を設けている。固定プレート２は、先窄み凸部８を案内する位置に先窄み凹部９を設けている。この先窄み凹部９は、土台１に設けた中央凸の先窄み凸部８に沿う形状としている。図の先窄み凹部９は、底面を中央凹の湾曲面として、柱状凹部７から外側に伸びる溝状としている。固定プレート２は、先窄み凹部９を柱状凹部７よりも浅くして、柱状凸部６を柱状凹部７に挿入して、土台１に確実に連結できる構造としている。さらに、先窄み凹部９は、その幅を柱状凹部７の外径にほぼ等しくして、固定プレート２を確実に土台１の定位置に案内できるようにしている。
【００５２】
ダウエルピン３は、固定プレート２に直交する姿勢であって、上端を固定プレート２に固定している。各々のダウエルピン３は、所定の間隔で、互いに平行な姿勢で固定プレート２に固定されている。ダウエルピン３は、図３のと図４に示すように、上端部を固定プレート２に埋設して、ピン本体を固定プレート２の下面から突出する状態で固定している。固定プレート２に埋設されるダウエルピン３は、図３と図４に示すように、上端部に鍔１６を設けている。このダウエルピン３は、鍔１６を固定プレート２に埋設して、抜けない構造で固定プレート２に固定される。
【００５３】
ダウエルピン３は、プラスチックを所定の形状に成形してなるプラスチックピンである。ただ、ダウエルピンは、金属ピンとすることもできる。さらに、ダウエルピン３は、連結穴５にスムーズに挿入できるように、先端を細くする先細りテーパー状としている。また、ダウエルピン３は、連結穴５に入れて回転しないように、断面図形状を非円形としている。図に示すダウエルピンは、２本の円柱を谷間１７ができるように平行に連結して、その外形を非円形としている。この形状のダウエルピン３は、連結穴５の対向面に形成される山形凸条１８を２本の円柱を谷間１７に案内して、位置ずれしないように確実に連結穴５に連結できる。
【００５４】
ダウエルピン３を所定の位置に固定する固定プレート２は、図示しないが、ダウエルピンを所定の位置に固定してなる金型に石膏またはプラスチックを充填して、ダウエルピンの鍔を石膏またはプラスチックに埋設して製作される。ただ、固定プレートは、土台を成形金型に併用して製作することもできる。この方法は、例えば、図１０に示すように、連結穴５にダウエルピン３を挿入した土台１の段差凸部１４の外周縁に沿って、固定プレート２を成形する石膏またはプラスチックを充填して成形するための成形周壁１９を設けることで実現できる。この成形周壁１９は、土台１の段差凸部１４の外周面に沿って、筒状のシート材を被着して設けることができ、あるいは、土台を成形するプラスチックで、一体成形して設けることもできる。土台の段差凸部に連結される成形周壁は、段差凸部との境界に切り離し部を設けて、固定プレートを成形後に除去することもできる。
【００５５】
以上の構造の歯科技工用作業模型は、固定プレート２のダウエルピン３を土台１の連結穴５に挿入し、さらに、土台１の柱状凸部６を固定プレート２の柱状凹部７に挿入し、さらに、土台１の先窄み凸部８を固定プレート２の先窄み凹部９に案内して、固定プレート２を土台１の定位置に連結する。すなわち、図の歯科技工用作業模型は、断面形状と非円形状とするダウエルピン３と連結穴５の連結構造と、ダウエルピン３の両側に設けた柱状凸部６と柱状凹部７の嵌着構造と、さらに、柱状凸部６と柱状凹部７の外側に設けた先窄み凸部８と先窄み凹部９の連結構造の相乗効果で、固定プレート２を土台１の定位置にスムーズに案内しながら、固定プレート２と土台１との位置ずれを防止して正確な位置にしっかりと連結できる。ただ、本発明の歯科技工用作業模型は、必ずしも土台と固定プレートの対向面に先窄み凸部と先窄み凹部を設ける必要はない。図９に示す歯科技工用作業模型は、土台の両側部に柱状凸部を設けて、固定プレートの両端部に柱状凹部（図示せず）を設けている。この歯科技工用作業模型は、固定プレート２のダウエルピン３を土台１の連結穴５に挿入し、さらに、土台１の柱状凸部６を固定プレート２の柱状凹部７に挿入して固定プレート２を土台１の定位置に連結する。
【００５６】
さらに、歯科技工用作業模型は、図１１ないし図１３に示す構造とすることもできる。ただし、これ等の歯科技工用作業模型は本発明の実施例にかかるものではない。これらの図に示す歯科技工用作業模型は、土台１が、固定プレート２との対向面の側部に、固定プレート２を定位置に固定する複数の柱状凹部７を側縁から内側に離れて設けており、固定プレート２が、土台１との対向面の側部に、土台１の柱状凹部７に挿入される柱状凸部を、対向面から突出して、かつ、側縁から内側に離れて設けている。とくに、図に示す歯科技工用作業模型は、土台１の上面の両側部に中央凹部７を設けて、この柱状凹部７に挿入される柱状凸部６を、固定プレート２の下面の両側部に設けている。なお、これらの図において、前述の実施例と同じ構成要素については、同符号を付してその詳細な説明を省略している。
【００５７】
図１１ないし図１３に示す土台１は、固定プレート２を定位置に固定する複数の柱状凹部７を固定プレート２との対向面の両側部に設けており、両側部の柱状凹部７の中間にダウエルピン３を抜き差しする連結穴５を設けている。すなわち、連結穴５の両側に、一対の柱状凹部７を設けている。土台１の柱状凹部７は、固定プレート２に設けた柱状凸部６を挿入できるように、柱状凸部６と対向する位置に設けている。この土台１は、各々のダウエルピン３を連結穴５に挿入する状態で、各々の柱状凹部７に固定プレート２の柱状凸部６が嵌入されて、固定プレート２が脱着できるように連結される。さらに、図の土台１は、柱状凹部７の外側に、先窄み凹部９を設けている。土台１は、固定プレート２に設けた先窄み凸部８を案内する位置に先窄み凹部９を設けている。この先窄み凹部９は、固定プレート２に設けた中央凸の先窄み凸部８に沿う形状としている。図の先窄み凹部９は、底面を中央凹の湾曲面として、柱状凹部７から外側に伸びる溝状としている。
【００５８】
さらに、図１１ないし図１３に示す固定プレート２は、その下面であって、土台１との対向面の両側部に、複数の柱状凸部６を突出して設けて、両側部の柱状凸部６の中間にダウエルピン３を固定している。すなわち、ダウエルピン３の両側に、一対の柱状凸部６を設けている。固定プレート２の柱状凸部６は、土台１に設けた柱状凹部７に挿入できるように、柱状凹部７と対向する位置に設けている。この固定プレート２は、各々のダウエルピン３を連結穴５に挿入する状態で、各々の柱状凸部６を土台１の柱状凹部７に嵌入して、土台１に脱着できるように連結される。さらに、図の固定プレート２は、柱状凸部６の外側に、先窄み凸部８を設けている。固定プレート２は、土台１に設けた先窄み凹部９と対向する位置に先窄み凸部８を設けている。この先窄み凸部８は、上面を中央凸の湾曲面として、柱状凸部６から外側に伸びる凸条としている。
【００５９】
以上の構造の歯科技工用作業模型は、図１１に示すように、固定プレート２のダウエルピン３を土台１の連結穴５に挿入し、さらに、固定プレート２の柱状凸部６を土台１の柱状凹部７に挿入し、さらに、固定プレート２の先窄み凸部８を土台１の先窄み凹部９に案内して、固定プレート２を土台１の定位置に連結する。この歯科技工用作業模型も、各々のダウエルピンの両側に柱状凸部６を設けているので、分割模型２０を、ダウエルピン３とその両側にある２個の柱状凸部６で土台１にしっかりと連結できる。
【００６０】
以上の実施例の歯科技工用作業模型は、部分の歯科技工用作業模型を示している。とくに、図に示す部分の歯科技工用作業模型は、臼歯部の歯科技工用作業模型を示している。したがって、これらの臼歯部の歯科技工用作業模型は、土台、固定プレート及び歯形模型を、臼歯部に沿う形状としている。ただ、部分の歯科技工用作業模型は、前歯部の歯科技工用作業模型とすることもできる。前歯部の歯科技工用作業模型は、図示しないが、土台、固定プレート及び歯形模型を前歯部に沿う形状として製作される。部分の歯科技工用作業模型は、以上の実施例に示すように、両側部に柱状凸部６を設けて、両側部の柱状凸部６の中間にダウエルピン３を配置して、固定プレート２を土台１の定位置にしっかりと連結できる。
【００６１】
さらに、本発明の歯科技工用作業模型は、全顎の歯科技工用作業模型とすることもできる。全顎の歯科技工用作業模型は、土台、固定プレート及び歯形模型を全顎に沿う形状として製作される。全顎の歯科技工用作業模型の一例を図１４に示し、この歯科技工用作業模型の土台の平面図と斜視図を図１５と図１６に示す。これらの図に示す土台１は、全体の形状を半楕円形状としており、その上面に半楕円形状の湾曲部に沿う馬蹄形の固定プレート２を脱着自在に連結している。固定プレート２には全顎の歯形模型４を固定している。なお、これらの図において、前述の実施例と同じ構成要素については、同符号を付してその詳細な説明を省略している。
【００６２】
図１５と図１６に示す土台１は、半楕円形状の湾曲部に沿って、固定プレート２と同じ外形の段差凸部１４を上面から突出して設けている。この土台１は、段差凸部１４の上面を固定プレート２との対向面として固定プレート２を連結している。土台１は、湾曲する段差凸部１４の長手方向に沿って中央部に所定の間隔離して、ダウエルピン３を抜き差しできる連結穴５を設けている。図に示す土台１は、複数の連結穴５の間隔を、前歯部から臼歯部に向かって次第に大きくすると共に、複数の連結穴５の開口面積を、前歯部から臼歯部に向かって次第に大きくしている。この土台１は、図示しないが、固定プレート２に固定される複数のダウエルピン３の間隔と断面積を、前歯部から臼歯部に向かって次第に大きくして、固定プレート２を土台１にしっかりと連結できる。ただ、複数のダウエルピンは、全てを同じ太さとして、土台に設ける連結穴を全て同じ開口面積とすることもできる。
【００６３】
さらに、図に示す土台１は、対向面の片側部に沿って柱状凸部６を設けている。図の土台１は、湾曲する対向面の外側の側部に、複数の柱状凸部６を対向面から突出して、かつ、側縁から内側に離して設けている。図の土台１は、連結穴５と同数の柱状凸部６を、所定の間隔で設けている。図の土台１は、前歯部から臼歯部に向かって連結穴５の間隔を大きくしているので、隣接する柱状凸部６の間隔も、前歯部から臼歯部に向かって次第に大きくしている。このように、連結穴５と柱状凸部６の間隔を、前歯部から臼歯部に向かって次第に大きくする土台１は、連結穴５と柱状凸部６を、全顎の歯形模型４の各々の歯牙模型４Ａの下方に位置するように配置できる。ただ、柱状凸部の間隔と個数は、必ずしも連結穴に対応させる必要はなく、種々に変更することもできる。さらに、図の土台１は、柱状凸部６の外側に、柱状凸部６よりも低い先窄み凸部８を設けている。先窄み凸部８は、上面を中央凸の湾曲面として、柱状凸部６から外側に伸びる凸条としている。図の土台１は、先窄み凸部８の幅を柱状凸部６の外径よりも大きくして、固定プレート２を土台の定位置に案内している。
【００６４】
以上の土台１に連結される固定プレート２は、土台１との対向面の側部に、土台１の柱状凸部６が挿入される柱状凹部７を、側縁から内側に離れて設けている。図の土台１は、対向面の片側部に沿って柱状凸部６を設けているので、固定プレート２も、対向面の片側部に沿って、すなわち、柱状凸部６と対向する側部に柱状凹部７を設けている。さらに、固定プレート２は、土台１に設けた先窄み凸部８を案内する位置に、先窄み凹部９を設けている。この先窄み凹部９は、土台１に設けた中央凸の先窄み凸部８に沿う形状としている。
【００６５】
以上の構造の全顎の歯科技工用作業模型は、図１４に示すように、固定プレート２のダウエルピン３を土台１の連結穴５に挿入し、さらに、土台１の片側部に設けた柱状凸部６を固定プレート２の柱状凹部７に挿入し、さらに、土台１の先窄み凸部８を固定プレートの先窄み凹部９に案内して、固定プレート２を土台１の定位置に連結する。この歯科技工用作業模型は、全顎の歯形模型に沿う形状の固定プレートを、複数のダウエルピンと片側部に設けた柱状凸部６とで、土台１の定位置にしっかりと連結できる。
【００６６】
以上の歯科技工用作業模型は、以下のようにして製造される。 
（１）土台１をプラスチックで成形する。土台１は、金型に溶融プラスチックを充填して、所定の形状に成形される。土台１を成形するプラスチックは、たとえば、ポリエチレン樹脂、ポリプロピレン樹脂、ナイロン樹脂、ウレタン樹脂等である。 
（２）固定プレート２を成形する。固定プレート２は、石膏またはプラスチックで製作する。固定プレートは、図示しないが、ダウエルピンを所定の位置に配置した金型に、固定プレートを成形する石膏泥または溶融プラスチックを注入して製作し、あるいは、図１０に示すように、連結穴５にダウエルピン３を挿入した土台１の段差凸部１４の外周に沿って設けた成形周壁１９の内側に、固定プレートを成形する石膏泥または溶融プラスチックを充填して製作する。
石膏泥またはプラスチックを硬化させた後、ダウエルピンが埋設された固定プレートを金型あるいは土台から脱型する。 
（３）固定プレート２の上面に歯形模型４を接着して固定する。ただ、図１０に示すように、成形周壁１９の内側に石膏泥または溶融プラスチックを注入して固定プレートを製作する方法は、固定プレートを成形する工程で、石膏泥または溶融プラスチックの上に歯形模型を配置して、固定プレートに歯形模型を固定することもできる。 
【００６７】
以上のようにして製造される歯科技工用作業模型は、以下のようにして種々の歯冠補綴物の製作に使用される。 
（１）歯科医は、患者から印象を取る前に、歯冠補綴物を設ける部分の歯を、予め削って支台歯としている。したがって、歯科技工用作業模型の歯形模型４は、歯冠補綴物２１を製作する部分に、支台歯模型２２が形成されている。 
（２）技工士は、歯科技工用作業模型の支台歯模型２２に装着される歯冠補綴物２１をレジンや金属で作成するが、このときに支台歯模型２２の両側にある歯牙模型４Ａが邪魔になる。両側の歯牙模型４Ａが邪魔にならないようにするために分割模型２０を作る。分割模型４は、歯冠補綴物２１を製作する部分を隣接部分から分離できるようにしたものである。 
（３）分割模型２０は、図３と図７に示すように、歯科技工用作業模型の歯形模型４と固定プレート２とを所定の位置で切断して製作される。歯形模型４と固定プレート２は、歯冠補綴物２１を製作する部分の両側であって、ダウエルピン３の左右両側で切断される。この分割模型４は、図８に示すように、ダウエルピン３と柱状凸部６を介して、土台１の定位置に脱着自在に装着される。 
（４）この状態で製作された分割模型２０を使用して、支台歯模型２２に装着される歯冠補綴物２１をレジンや金属で作成する。支台歯模型２２を土台１から分割できる分割模型２０は、隣接する歯牙模型４Ａとの境界であっても能率よく正確に加工できるので、能率よく歯冠補綴物２１が製作できる。
【図面の簡単な説明】
【００６８】
【図１】本発明者が先に開発した歯科技工用作業模型の正面図である。
【図２】本発明者が先に開発した他の歯科技工用作業模型の分解斜視図である。
【図３】本発明の一実施例にかかる歯科技工用作業模型の垂直縦断面図である。
【図４】図３に示す歯科技工用作業模型のＡ−Ａ線断面図である。
【図５】図３に示す歯科技工用作業模型の分解斜視図である。
【図６】図５に示す歯科技工用作業模型を下側から見た分解斜視図である。
【図７】図３に示す歯科技工用作業模型から分割模型を取り外す状態を示す分解斜視図である。
【図８】図４に示す歯科技工用作業模型から分割模型を取り外す状態を示す分解断面図である。
【図９】本発明の他の実施例にかかる歯科技工用作業模型の分解斜視図である。
【図１０】固定プレートを製作する一例を示す斜視図である。
【図１１】歯科技工用作業模型の参考例を示す垂直横断面図である。
【図１２】図１１に示す歯科技工用作業模型の分解斜視図である。
【図１３】図１１に示す歯科技工用作業模型を下側から見た分解斜視図である。
【図１４】本発明の他の実施例にかかる歯科技工用作業模型の垂直断面図であって、図１５に示す図のＡ−Ａ線断面に相当する図である。
【図１５】図１４に示す歯科技工用作業模型の土台の平面図である。
【図１６】図１４に示す土台の斜視図である。
【符号の説明】
【００６９】
１…土台
２…固定プレート
３…ダウエルピン
４…歯形模型                  ４Ａ…歯牙模型
５…連結穴
６…柱状凸部
７…柱状凹部
８…先窄み凸部
９…先窄み凹部
１０…平面プレート
１１…周壁
１２…筒体
１３…補強リブ                １３Ａ…横補強リブ
１３Ｂ…縦補強リブ
１４…段差凸部
１５…マーク
１６…鍔
１７…谷間
１８…山形凸条
１９…成形周壁
２０…分割模型
２１…歯冠補綴物
２２…支台歯模型
８１…土台
８２…固定プレート
８３…ダウエルピン
８５…連結穴
８８…連結凸部
８９…連結凹部
９１…土台
９２…固定プレート
９３…ダウエルピン
９４…歯形模型
９５…連結穴
【図１】
0005164233.tif 000002
【図２】
0005164233.tif 000003
【図３】
0005164233.tif 000004
【図４】
0005164233.tif 000005
【図５】
0005164233.tif 000006
【図６】
0005164233.tif 000007
【図７】
0005164233.tif 000008
【図８】
0005164233.tif 000009
【図９】
0005164233.tif 000010
【図１０】
0005164233.tif 000011
【図１１】
0005164233.tif 000012
【図１２】
0005164233.tif 000013
【図１３】
0005164233.tif 000014
【図１４】
0005164233.tif 000015
【図１５】
0005164233.tif 000016
【図１６】
0005164233.tif 000017